(57)【要約】【課題】同一商品のバーコードを複数回読み取ったことを、すばやく確認できるようにすることが課題であった。 【解決手段】１客の読み取った商品データを記憶する読取データ記憶手段３０と、この読取データ記憶手段３０内にすでに記憶されている商品番号データと今回読み取った商品番号データとを比較する番号データ比較手段ＳＴ３と、この番号データ比較手段ＳＴ３によりこれらの商品番号データが一致していると判断された場合に、その商品データの読取回数を加算する商品別読取カウンタ３２と、この商品別読取カウンタ３２の読取回数を表示する回数表示器２３とを備え、回数表示器２３を読取窓２３に近接して設けたバーコード読取装置１である。【選択図】図５
2009217654.tif 000002
【特許請求の範囲】
【請求項１】
読取部の読取窓から外方に向ってレーザ光を照射するとともに、このレーザ光により走査されたバーコードの反射光を受光部で受光して、前記バーコードの商品データを読み取るバーコード読取装置において、
１客の読み取った商品データを記憶する読取データ記憶手段と、
この読取データ記憶手段内にすでに記憶されている商品番号データと今回読み取った商品番号データとを比較する番号データ比較手段と、
この番号データ比較手段によりこれらの商品番号データが一致していると判断された場合に、その商品データの読取回数を加算する商品別読取カウンタと、
この商品別読取カウンタの読取回数を表示する回数表示器とを備え、
前記回数表示器を前記読取窓に近接して設けたことを特徴とするバーコード読取装置。
【請求項２】
前記番号データ比較手段により、今回読み取った商品番号データが前記読取データ記憶手段内にすでに記憶されている商品番号データと一致するものがないと判断された場合に、前記回数表示器に読取回数を表示しないことを特徴とする請求項１記載のバーコード読取装置。
【請求項３】
前記番号データ比較手段により今回読み取った商品番号データが前記読取データ記憶手段内にすでに記憶されている商品番号データと一致していると判断され、前記商品別読取カウンタの読取回数が「２」となっていた場合、取消操作の入力により前記商品別読取カウンタの読取回数を「１」とし、前記回数表示器に「１」と表示することを特徴とする請求項１乃至請求項２記載のバーコード読取装置。
【請求項４】
前記番号データ比較手段により今回読み取った商品番号データが前記読取データ記憶手段内にすでに記憶されている商品番号データと一致するものがないと判断され、取消操作の入力がされた場合、前記読取カウンタの読取回数をクリアし、前記回数表示器に「０」と表示することを特徴とする請求項１乃至請求項２記載のバーコード読取装置。
【請求項５】
読取部の読取窓から外方に向ってレーザ光を照射するとともに、このレーザ光により走査されたバーコードの反射光を受光部で受光して、前記バーコードの商品データを読み取るバーコード読取手段と、
１客の読み取った商品データを記憶する読取データ記憶手段と、
この読取データ記憶手段内にすでに記憶されている商品番号データと今回読み取った商品番号データとを比較する番号データ比較手段と、
この番号データ比較手段によりこれらの商品番号データが一致していると判断された場合に、その商品データの読取回数を加算する商品別読取カウンタと、
この商品別読取カウンタの読取回数を表示する回数表示器と、
この回数表示器を前記読取窓に近接して設けたバーコード読取装置を有することを特徴とする商品販売データ処理装置。
【請求項６】
前記番号データ比較手段により、今回読み取った商品番号データが前記読取データ記憶手段内にすでに記憶されている商品番号データと一致するものがないと判断された場合に、前記回数表示器に読取回数を表示しないことを特徴とする請求項５記載の商品販売データ処理装置。
【請求項７】
前記番号データ比較手段により今回読み取った商品番号データが前記読取データ記憶手段内にすでに記憶されている商品番号データと一致していると判断され、前記商品別読取カウンタの読取回数が「２」となっていた場合、取消操作の入力により前記商品別読取カウンタの読取回数を「１」とし前記回数表示器に「１」と表示することを特徴とする請求項５乃至請求項６記載の商品販売データ処理装置。
【請求項８】
前記番号データ比較手段により今回読み取った商品番号データが前記読取データ記憶手段内にすでに記憶されている商品番号データと一致するものがないと判断され、取消操作の入力がされた場合、前記読取カウンタの読取回数をクリアし、前記回数表示器に「０」と表示することを特徴とする請求項５乃至請求項７記載の商品販売データ処理装置。
【発明の詳細な説明】
【技術分野】
【０００１】
本発明は、スーパーマーケットなどの店頭において、商品に貼り付けられた値札などに印刷されたバーコードを読み取り、それにより金銭の精算処理を行うＰＯＳ端末と接続したバーコード読取装置及び商品販売データ処理装置に関する。
【背景技術】
【０００２】
従来のバーコード読取装置は、例えば特許文献１に示されるように、バーコード読取装置の光学装置によって１個の商品に貼り付けられたバーコードラベルを所定時間内に連続してスキャンすることにより、そのラベルに印刷されたバーコードを正確に読み取り、その結果をＰＯＳステーションのホストにデータ送信するようになっている。
【０００３】
このバーコード読取装置には、二度読防止用タイマが設けられており、今回読み取ったバーコードが前回読み取ったバーコードと同一である場合に、二度読防止用タイマの所定時間内であることでタイマが動作中においては、今回のデータを破棄するとともに、高い周波数の音を発生させて報知する。また二度読防止用タイマの所定時間を過ぎてタイマが動作していないときには、低い周波数の音を発生させて報知するとともに、今回読み取ったバーコードデータが前回と同一であっても、別の商品の正常なバーコードデータとしてＰＯＳステーションのホストに送信するようになっている。
【０００４】
このように、顧客が同一の商品を複数購入したことにより、バーコード読取装置が同一のバーコードデータを連続して読み取った場合は、購入数分の商品のバーコードデータをＰＯＳステーションのホストに連続して送信している。
【特許文献１】特開２００１−１４４１９号公報（第５頁、図３）
【発明の開示】
【発明が解決しようとする課題】
【０００５】
従来技術においては、二度読防止用タイマの所定時間内であることによりタイマが動作中においては、高い周波数の音を発生させて報知するが、騒音が発生する店内などにおいては警報音が聞こえない場合や、同一の商品を複数購入したときの複数回の読み取りと間違える場合があり、円滑なデータ入力操作が行われないことがあった。
【０００６】
従って、バーコード読取装置のオペレータが、１個の商品のバーコードを間違って複数回読み取ってしまったことがすばやく確認することが困難であった。
【０００７】
本発明は、上記事情によりなされたものであって、バーコード読取装置の読取窓に近接した位置に、１客の取引中に同一商品の読み取りが何回あったことを表示する回数表示器を設けたことにより、キャッシャに同一商品が読み取られた回数を容易に確認できるようにすることを目的とする。
【課題を解決するための手段】
【０００８】
本発明は、読取部の読取窓から外方に向ってレーザ光を照射するとともに、このレーザ光により走査されたバーコードの反射光を受光部で受光して、前記バーコードの商品データを読み取るバーコード読取装置において、１客の読み取った商品データを記憶する読取データ記憶手段と、この読取データ記憶手段内にすでに記憶されている商品番号データと今回読み取った商品番号データとを比較する番号データ比較手段と、この番号データ比較手段によりこれらの商品番号データが一致していると判断された場合に、その商品データの読取回数を加算する商品別読取カウンタと、この商品別読取カウンタの読取回数を表示する回数表示器とを備え、前記回数表示器を前記読取窓に近接して設けたことを特徴とする。
【０００９】
また、本発明は、読取部の読取窓から外方に向ってレーザ光を照射するとともに、このレーザ光により走査されたバーコードの反射光を受光部で受光して、前記バーコードの商品データを読み取るバーコード読取手段と、１客の読み取った商品データを記憶する読取データ記憶手段と、この読取データ記憶手段内にすでに記憶されている商品番号データと今回読み取った商品番号データとを比較する番号データ比較手段と、この番号データ比較手段によりこれらの商品番号データが一致していると判断された場合に、その商品データの読取回数を加算する商品別読取カウンタと、この商品別読取カウンタの読取回数を表示する回数表示器と、この回数表示器を前記読取窓に近接して設けたバーコード読取装置を有する商品販売データ処理装置としたことを特徴とする。
【発明の効果】
【００１０】
本発明は、同一商品のバーコードを２回以上読み取ったときに、その読取回数を回数表示器に表示することにより、キャッシャは顧客が購入予定の商品数と読み取りが行われた回数とを素早く確認することができる。
【発明を実施するための最良の形態】
【００１１】
以下、本発明によるバーコード読取装置の実施態様について、図１から図５を参照して説明する。
【００１２】
〔実施例１〕
図１は、商品販売データ処理装置Ａの全体の概略構成を示す。ＰＯＳ端末１００には、バーコード読取装置１がケーブル２００により接続されている。前記バーコード読取装置１は商品等に付されたバーコードラベルからバーコード１０を読み取る読取部としてのバーコード読取部３００や、バーコード１０が付されていない商品についてキーボード（図示せず）等を用いて入力する操作部４００を備えている。この操作部４００には後述する１客の購入希望商品に対する入力終了を宣言する小計キー４１０や、何らかの読取操作の間違いにキャッシャが気づいた場合、取消操作ができる取消キー４２０を有している。また、前記ＰＯＳ端末１００には、バーコード読取装置１の小計キー４１０が押下されたことにより送信された読取データを記憶する売上登録メモリ１１０を備えている。
【００１３】
図２は、本発明のバーコード読取装置１のハードウエア構成を示すブロック図である。このブロック図には、コンピュータの中央制御回路であるＣＰＵ２を中心として、各種処理を実行するための各種のコンピュータプログラムや、所定の数値データなどのテーブルを格納するＲＯＭ（リードオンリーメモリ）３、および各種処理を実行する場合のワークエリアとして使用されて、１次的なデータが格納されるＲＡＭ（ランダムアクセスメモリ）４が接続されている。
【００１４】
また、このＣＰＵ２には、ＰＯＳ端末１００との間でデータ交信を行うための通信Ｉ／Ｆ５が接続されるとともに、ＣＰＵ２により処理された各種のデータを表示する複数種の表示器６、およびデータの内容にしたがって音声により報知する音声出力装置７が接続されている。なお、前記表示器６には表示状態をコントロールする表示コントローラ８が上位に設けられ、全てバスライン９により接続されている。
【００１５】
さらに、このブロック図１には前述したＣＰＵ２、ＲＯＭ３、ＲＡＭ４などにより制御され、販売する商品に貼付されている太さの異なる白線と黒線とが交互に印刷されてなるバーコード１０を、レーザ光により走査して商品データを読み取るための構成が示されている。このバーコード１０には、その商品の分類を示す商品分類コード、その商品名を特定する商品コードなどを付した商品番号データが含まれている。
【００１６】
制御回路１１は、レーザ駆動部１２およびモータ駆動部１３に接続され、これらにより走査機構１４が駆動されるようになっている。この走査機構１４は、モータ駆動部１３により制御されたモータにより回転駆動される図示しないポリゴンミラーを有し、レーザ駆動部１２によりレーザ発光部１５から発射されたレーザ光を、このポリゴンミラーにより反射させて、バーコード１０へ向けて多方向から高速で走査する機能を備えている。
【００１７】
また、走査機構１４は、バーコード１０から反射されたレーザ光を、さらにポリゴンミラーから受光部１６に向かって反射させる。そして、受光部１６で受光したレーザ光は光電変換部１７により電子信号に変換される。この光電変換部１７は、フォトダイオードなどの光電変換素子を有し、この光電変換素子により光量に応じた電気信号に変換して後述する読取データ記憶手段に一旦格納させる。この読取データ記憶手段に格納された読取データは、ＲＯＭ３に記憶されたコンピュータプログラムに従いＣＰＵ２およびＲＡＭ４などによって処理されるものである。読取データ記憶手段に一旦格納された電気信号は、バーコード１０に記録された商品データを読み取ったものであり、これらの商品データには、前記したように、商品分類、商品名、商品価格などの商品番号データが含まれている。
【００１８】
次に、図３は、バーコード読取装置１のバーコード読取部３００を示している。このバーコード読取部３００は、通常垂直状態となった透明板ガラス２１がはめ込まれた読取窓２２を有しており、この読取窓２２の内側に前述したレーザ駆動部１２、モータ駆動部１３、走査機構１４、レーザ発光部１５、受光部１６、光電変換部１７が設けられている。また、この読取窓２２の近接している直上に液晶板からなる回数表示器２３が取付けられ、同一商品のバーコード１０を複数回読み取ったときに、その読取回数を表示するようになっている。回数表示器２３は、複数個設けられた表示器７の中の一個である。また前記回数表示器２３の左側には、読取報知部２４が設けられている。この読取報知部２４は、例えば、商品２５に付されたバーコード１０が正確に読み取られると緑色に点灯し、何らかの読取不具合が生じた場合は赤色に点灯し、前記音声出力装置８と連動することでキャッシャに報知している。
【００１９】
そして、レーザ発光部１５によって発射されたレーザ光は、走査機構１４に備えたポリゴンミラーにより、読取窓２２に設けた透明板ガラス２１を透過するように外方に向かって照射されている。この透明板ガラス２１を透過したレーザ光は、その上面を商品２５に貼付されたバーコード１０が通過したときに、このバーコード１０の表面を走査する。そして、このバーコード１０に反射したレーザ光は、再び読取窓２２の透明板ガラス２１からバーコード読取部３００の内側に入射し、回転するポリゴンミラーに反射されて受光部１６で受光され、光電変換部１７によって電子信号に変換されて商品番号データとして読取データ記憶手段に記憶されるようになっている。
【００２０】
図４は、バーコード１０を読み取った際にＲＡＭ４に確保される読取データ記憶手段を示しており、読み取ったデータを一時的に記憶する読取データ記憶エリア３０、バーコード１０を読み取った際にその商品の読取回数を記憶する商品別読取カウンタ３１、読取回数を回数表示器２６に表示させるための読取回数表示メモリ３２を備えている。商品別読取カウンタ３１は、それぞれの商品ごとに読取回数または個数をカウントできるように、商品別にそれぞれ設けられている。
【００２１】
次に、図５に示したフローチャートにより、複数の商品２５の購入を希望する１人の顧客、すなわち１客について、バーコード読取装置１によりバーコード１０を読み取る場合について具体的に説明する。
【００２２】
一客の商品２５について、キャッシャが読取窓２２の上面を通過させることにより、図５のステップ１（ＳＴ１のＹＥＳ）でバーコード１０を読み取ると、ステップ２でＣＰＵ２は、その商品２５の商品番号データをＲＡＭ３の読取バッファメモリである、図４に示した読取データ記憶エリア３０に記憶する。次にステップ３で、今回読み取った商品番号データと同一の商品番号データが、今回以前に読取られて読取データ記憶エリア３０に記憶されているか否かを比較する。比較した結果、同一商品番号データが無い場合（ＳＴ３のＮＯ）はステップ４へ移行し、読取回数ｎ＝１とする。これにより前記商品別読取カウンタ３１には「１」とカウントされるが、ステップ５に示すように、前記読取回数表示メモリ３２及び回数表示器２３への表示は行われない。
【００２３】
また、今回以前に同一の商品データが読取られていることにより、ステップ３で読取データ記憶エリア３０に同じ商品番号データが存在する場合（ＳＴ３のＹＥＳ）は、ステップ６へ移行し、ＲＡＭ４内の商品別読取カウンタ３１で読取回数の加算を行い、その後ステップ７にて読取回数表示メモリ３２にカウントされた回数が回数表示器２３に表示される。この操作は、１人の顧客に対する全ての商品の入力が終了するまで行われる。つまり操作部４００に設けられた小計キーが押下されるまで行われる（ＳＴ８のＹＥＳ）。なお、前記ステップ３は番号データ比較手段に相当する。
【００２４】
ステップ９は、操作部４００に設けられている前記取消キー４２０が押下されたか否かを判断している。このステップ９は、キャッシャによる商品２５に付されたバーコード１０の入力操作で、顧客の購入予定商品の数と回数表示器２３にカウントされた数とが一致していない（不一致）ことに気が付いた場合に１つ前の商品入力を取消すか否かを判断している。入力操作に誤りがあったことに気が付いたキャッシャは取消キー４２０を押し（ＳＴ９のＹＥＳ）、商品別読取カウンタ３１及び読取回数表示メモリ３２に伴う回数表示器２３が「２」である場合（ＳＴ１０のＹＥＳ）は、ステップ１１の減算処理後、ステップ１２で回数表示器２３が「１」に変更される。この回数表示器２３の表示により「２」→「１」へ減算されたことがキャッシャに報知される。
【００２５】
次に読取データ記憶エリア３０に今回の読み取り以前に記憶された同一の商品番号データが無く新規である場合、入力操作の誤りや、バーコード１０の入力が終わった直後に顧客から「その商品の購入を止めます」という旨が伝えられると、キャッシャは取消キー４２０を押す（ＳＴ９のＹＥＳ）。この場合、商品別読取カウンタ３１には「１」だが読取回数表示メモリ３２に伴う回数表示器２３に何も表示されていない（カウント無し）。従って直前取消が行われたかどうかをキャッシャが把握するために、商品別読取カウンタ３１が「１」の場合（ＳＴ１３のＹＥＳ）は、ステップ１４の減算処理後、ステップ１５で読取回数表示メモリ３２に伴う回数表示器２３の表示を「０」にする。この回数表示器２３の「無表示」→「０」の表示により減算されたことがキャッシャに報知される。
【００２６】
さらに、入力操作に誤りがあったことに気が付いたキャッシャは取消キー４２０を押す（ＳＴ９のＹＥＳ）。ステップ１０でＮＯ、ステップ１３もＮＯであることからステップ１６で商品別読取カウンタ３１及び読取回数表示メモリに伴う回数表示器２３が３以上あると判断し、ステップ１７の減算処理後、ステップ１８で回数表示器２３が「ｎ-１」に変更される。つまり「-１」減算された値を表示することで、回数表示器２３の表示により減算されたことがキャッシャに報知される。
【００２７】
以上のような商品入力操作を繰り返し、ステップ８で顧客の１取引の終了を宣言する小計キー４１０が押下されると、前記読取データ記憶エリア３０の読取データがＰＯＳ端末１００の前記売上登録メモリ１１０に送信され終了し、次の顧客に対するバーコード１０の入力に備える。顧客はＰＯＳ端末１００に移動して精算を行い会計処理が終了する。
【００２８】
このような構成において、顧客が購入予定の商品を入力する場合の処理を説明する（図４参照）。
【００２９】
顧客は、例えば、カップラーメン１個、牛乳１つ、チョコレート２つ、ガム３つ、ＤＶＤソフト１枚の計８点を購入しようとしている。ここでは、商品読取順序として、(1)チョコレート→(2)牛乳→(3)ガム→(4)ガム→(5)チョコレート→(6)ガム→(7)カップラーメン→(8)ＤＶＤの順で、一品ずつ商品に付されたバーコード１０を読み取る場合の例とする。
【００３０】
まず、キャッシャは、顧客から上記８点の商品が入ったカゴを受け取り、バーコード読取装置１のバーコード読取部３００に有する読取窓２２に沿って右から左へ読み取り動作を行う。先ず、(1)のチョコレートのバーコード１０を読み取らせ、この読み取りが正常に行われると、前記読取報知部２４が緑色に点灯し同時に音声出力装置７の音声が出力される。これによりキャッシャは正常に読み取れたことが把握できる。この正常な入力が行われると読取データ記憶エリア３０に商品データとして例えば商品番号データが記憶される。この場合、この顧客が購入する予定の商品の入力は始めてであることから、商品別読取カウンタ３１は「１」で読取回数表示メモリ３２に伴う回数表示器２３は何も表示されない。
【００３１】
次に(2)牛乳、(3)ガムまで入力する。この時も同様、読取データ記憶エリア３０に今回以前に読取られたと同じ商品番号データが無いので回数表示器２３は表示がされない。このように同一商品である同じ商品番号データが、今回以前の読取データ記憶エリア３０に存在しない場合は、商品別読取カウンタ３１には「１」とカウントされるが、読取回数表示メモリ３２に伴う回数表示器２３には何も表示されない。
【００３２】
次に(4)でガムを入力する。ガムは3.で入力したガムと同じ商品つまり同じ商品番号データであることから、読取データ記憶エリア３０に記憶する際、商品別読取カウンタ３１をカウントアップし、読取回数表示メモリ３２も「２」とカウントする。したがって回数表示器２３に「２」と表示されることから、過去に同一商品が２回読まれたことをキャッシャは把握できる。
【００３３】
次に(5)でチョコレートを入力する。チョコレートも今回の読み取り以前の(1)で一度読取データ記憶エリア３０に記憶されていることから、商品別読取カウンタ３１に加算し、読取回数表示メモリ３２に伴う回数表示器２３もカウントアップされ「２」と表示する。
【００３４】
次に(6)でガムを入力する。このガムは(3)及び(4)と同一商品で同一の商品番号データであることから商品別読取カウンタ３１に加算され、読取回数表示メモリ３２に伴う回数表示器２３に「３」と表示される。例えば、何らかの読取不具合やキャッシャの２度読取操作が行われた場合、購入予定のガムの数は３個であるが、読取回数表示メモリ３２に伴う回数表示器２３が例えば「４」と表示されていたとする。この時は、キャッシャは操作部４００の取消キー４２０を押下すると、商品別読取カウンタ３１が減算処理されることで読取回数表示メモリ３２及び回数表示器２３は「３」に表示変更される。
【００３５】
次に(7)で牛乳を入力する。牛乳は今回の読み取り以前に読取データ記憶エリア３０に記憶されていないことから、商品別読取カウンタ３１で「１」とし、読取回数表示メモリ３２に伴う回数表示器２３は何も表示されない。例えば、何らかの読取不具合やキャッシャの２度読取操作が行われた場合、購入予定の牛乳の数は１個であるが、読取回数表示メモリ３２に伴う回数表示器２３が「２」と表示されていたとする。この時は、キャッシャは操作部４００の取消キー４２０を押下すると、商品別読取カウンタ３１が減算処理されることで、読取回数表示メモリ３２及び回数表示器２３は「１」に表示変更される。つまり、読取データ記憶エリア３０に今回の読み取りと同一の商品番号データが無い場合は、商品別読取カウンタ３１には「１」とカウントされるが、回数表示器２３には何も表示されない制御となっている。つまり回数表示器２３に「１」と表示されるのは取消操作がされ、「２」から「１」に変更された場合のみである。
【００３６】
最後に(8)でＤＶＤソフトを入力する。ＤＶＤは今回の読み取り以前に読取データ記憶エリア３０に記憶されていないことから、商品別読取カウンタ３１で「１」とし、読取回数表示メモリ３２に伴う回数表示器２３は何も表示されない。ここで、例えば顧客が全ての商品を支払う現金を所持していないことに気がつき、入力されたＤＶＤの購入をキャンセルする旨がキャッシャに伝えられたとする。キャッシャは、取消キー４２０を押下する。すると、読取データ記憶エリア３０のＤＶＤに対する商品番号データの取消処理に伴い読取回数表示メモリ３２が「０」となり、回数表示器２３も「０」と表示される。つまり読取データ記憶エリア３０で同一の商品番号データが無い商品の取消が行われると、回数表示器２３は「無表示」→「０」に表示が切り換わる。したがって、回数表示器２３が「０」に表示されたことにより訂正処理が行われたことを把握できる。
【００３７】
この後、小計キー４１０が押下されると、ＰＯＳ端末１００の売上登録メモリ１１０に顧客の読取データが記憶され、購入商品（７点）の合計金額（１０００円）を支払い取引処理が終了することになる。
【００３８】
このようにバーコード１０の入力が正常に入力され、読取データ記憶エリア３０に今回以前に同じ商品番号データが存在しない場合は、回数表示器２３には何もカウントしない（「１」と表示されない）。回数表示器２３が「１」と表示されるパターンは、同一の商品番号データが２つ存在し、訂正処理で減算された場合にのみ表示がされる。これは商品番号データが新規入力される度に「１」とカウントされると、回数表示器２３をキャッシャが都度目視することが考えられ、入力操作に支障をきたす（集中できない）虞があるからである。
【００３９】
上記実施例１では、回数表示器は読取窓の上方に近接して設けたが、この回数表示器を読取窓の片隅に位置して設けることもできる。つまり、キャッシャの目線が読取窓を見ながら回転表示器も視野に入る位置ならば問題ない。また、本実施例では入力された商品の直後に取消を行う直前取消キーが押されたことを例としたが、指定取消（商品入力履歴から指定された商品のみ取消）でも同様の処理が行えることは言うまでも無い。なお、本実施例ではバーコード読取装置にバーコード読取部と操作部を設けたが、バーコード読取部と操作部を別体に構成してもよいことは言うまでもない。
【００４０】
以上説明したように、本発明はその趣旨を逸脱しない範囲でいろいろなバーコード読取装置に適用することができる。
【００４１】
〔実施例２〕
次に、前記バーコード読取装置１を用いた商品販売データ処理装置Ａに関して説明をする。なお、実施例１の図１乃至図５で用いた符号に関して同一ものは説明を省略する。
【００４２】
前述したバーコード読取装置１と商品販売データ処理装置Ａの異なる点は、前記図４のＲＡＭ４の構成つまり読取データ記憶手段をＰＯＳ端末１００に設けた点である。
【００４３】
図６に商品販売データ処理装置ＡのＲＡＭ１０１における一部メモリの構成を示す。このＲＡＭ１０１内は、バーコード読取装置１で読み取られた読取データを一時的に記憶する読取データ記憶手段としての読取データ記憶エリア３１０、この読取データ記憶エリア３２０に記憶されたデータを売上情報として記憶する売上登録メモリ３２０、バーコード１０を読み取った際に同一商品の読取回数を記憶する商品別読取カウンタ３３０、同一商品を読み取った際にその回数を回数表示器２６に表示させるための読取回数表示メモリ３４０を備えている。
【００４４】
このような構成において、キャッシャは顧客が購入を希望する商品をバーコード読取装置１のバーコード読取部３００で商品に付されたバーコード１０を読み取ると、その商品データは、ＰＯＳ端末１００のＲＡＭ１０１内にある読取データ記憶エリア３１０などに記憶される。この後の操作に関しては図５のフローチャートの動作を同じであるので説明を省略する。
【００４５】
以上説明したように、本発明はその趣旨を逸脱しない範囲でいろいろな商品販売データ処理装置に適用することができる。なお、本発明は１品ずつ読み取る例を示したが、操作部に設けられている乗算キーを用いてまとめて商品入力した場合でも、指定取消操作をすることで回数表示器のカウンタが減算可能であることは言うまでもない。
【図面の簡単な説明】
【００４６】
【図１】本発明によるバーコード読取装置を含む商品販売データ処理装置の概略構成図である（実施例１）。
【図２】図１に示すバーコード読取装置のブロック図ある。
【図３】図１に示すバーコード読取装置のバーコード読取部を表す正面図である。
【図４】図１に示すバーコード読取装置のＲＡＭにおける一部メモリの模式図である。
【図５】図１に示すバーコード読取装置においてバーコードの読取処理を行うフローチャート図である。
【図６】本発明による商品販売データ処理装置のＲＡＭにおける一部メモリの模式図である（実施例２）。
【符号の説明】
【００４７】
Ａ    商品販売データ処理装置
１    バーコード読取装置
１０  バーコード
１６  受光部
２２  読取窓
２５  商品
２３  回数表示器
３０  読取データ記憶手段
３１  商品別読取カウンタ
ＳＴ３  番号データ比較手段
１００  ＰＯＳ端末
１０１  ＲＡＭ
３００  バーコード読取部
３１０  読取データ記憶手段
４００  操作部
４２０  取消キー
【図１】
2009217654.tif 000003
【図２】
2009217654.tif 000004
【図３】
2009217654.tif 000005
【図４】
2009217654.tif 000006
【図５】
2009217654.tif 000007
【図６】
2009217654.tif 000008